(57)【要約】【課題】配電系統図を表示させるための多大なメンテナンス作業を不要とし、管理者にかかる負荷を低減し得る配電系統監視制御装置を提供すること。【解決手段】実施形態の配電系統監視制御装置は、配電系統内に配置された機器を識別するための機器番号と、配電系統内に配置された機器の位置を（ｘ，ｙ，ｚ）座標を用いて示す座標情報とを関連付けた設備情報を記憶する記憶手段と、前記記憶された設備情報を外部装置に送出する送出手段とを備えた設備情報管理装置および配電系統図を示す画面情報を表示可能な表示装置と通信可能である。前記配電系統監視制御装置は、第１記憶手段および第１書込手段を備えている。前記第１記憶手段は、前記設備情報を記憶する。前記第１書込手段は、前記設備情報管理装置内の前記送出手段から送出された設備情報の入力を受け付けると、当該入力を受け付けた設備情報を前記第１記憶手段に書込む。【選択図】図１
2014060830.tif 000002
【特許請求の範囲】
【請求項１】
配電系統内に配置された機器を識別するための機器番号と、配電系統内に配置された機器の位置を（ｘ，ｙ，ｚ）座標を用いて示す座標情報とを関連付けた設備情報を記憶する記憶手段と、前記記憶された設備情報を外部装置に送出する送出手段とを備えた設備情報管理装置および配電系統図を示す画面情報を表示可能な表示装置と通信可能な配電系統監視制御装置であって、
前記設備情報を記憶する第１記憶手段と、
前記設備情報管理装置内の前記送出手段から送出された設備情報の入力を受け付けると、当該入力を受け付けた設備情報を前記第１記憶手段に書込む第１書込手段と
を備え、
前記設備情報を前記設備情報管理装置と連携して管理することを特徴とする配電系統監視制御装置。
【請求項２】
請求項１に記載の配電系統監視制御装置において、
前記表示装置に表示される配電系統図の傾斜角度を設定する第１設定手段と、
ユーザの操作に応じて指定された範囲に含まれる座標情報と、当該座標情報に関連付けられた機器番号とを有する複数の設備情報を前記第１記憶手段から読出す第１読出手段と、
前記読出された各設備情報と、前記設定された傾斜角度とに基づいて、配電系統図を示す画面情報を生成する第１生成手段と、
前記第１生成手段により生成された画面情報を前記表示装置に表示させる第１表示手段と
を更に備えたことを特徴とする配電系統監視制御装置。
【請求項３】
請求項２に記載の配電系統監視制御装置において、
複数の配電線が重複して構成される多回線を前記表示装置に表示させる場合に、前記多回線のうちのどの配電線を優先的に前記表示装置に表示させるかを規定した優先度を設定する第２設定手段と、
前記設定された優先度を示す優先度設定情報を前記設備情報に関連付けて前記第１記憶手段に書込む第２書込手段と、
前記第１読出手段により前記各設備情報が読出されると、当該読出された各設備情報の中に、前記座標情報により示される（ｘ，ｙ，ｚ）座標のうちの（ｘ，ｙ）座標が同一の値を示す複数の設備情報が存在するか否かを判定する第１判定手段と、
前記第１判定手段による判定の結果が存在する旨を示すとき、（ｘ，ｙ）座標が同一の値を示す各設備情報に関連付けられた優先度設定情報を前記第１記憶手段からそれぞれ読出す第２読出手段と、
前記読出された各優先度設定情報のうち、最も高い優先度を示す優先度設定情報に関連付けられた設備情報を多回線設備情報として選択する選択手段と、
前記読出された各設備情報のうち、前記読出された各優先度設定情報に関連付けられた設備情報を除く設備情報と、前記選択された多回線設備情報とに基づいて、配電系統図を示す画面情報を生成する第２生成手段と、
前記第２生成手段により生成された画面情報を前記表示装置に表示させる第２表示手段と
を更に備えたことを特徴とする配電系統監視制御装置。
【請求項４】
請求項２に記載の配電系統監視制御装置において、
前記第１読出手段により前記各設備情報が読出されると、当該読出された各設備情報の中に、前記座標情報により示される（ｘ，ｙ，ｚ）座標のうちの（ｘ，ｙ）座標が同一の値を示す複数の設備情報が存在するか否かを判定する第２判定手段と、
前記第２判定手段による判定の結果が存在する旨を示すとき、（ｘ，ｙ）座標が同一の値を示す各設備情報内の座標情報により示されるｚ座標の値を比較することで、交差点における配電線の上下関係を判定し、下方に位置する配電線を特定する第１特定手段と、
前記読出された各設備情報に基づいて、配電系統図を示す画面情報を生成する第３生成手段と、
前記第３生成手段により生成された画面情報を前記表示装置に表示させると共に、前記特定手段により下方に位置すると特定された配電線を影表示させる第３表示手段と
を更に備えたことを特徴とする配電系統監視制御装置。
【請求項５】
請求項４に記載の配電系統監視制御装置において、
前記第１特定手段は、
前記第２判定手段による判定の結果が存在する旨を示すとき、（ｘ，ｙ）座標が同一の値を示す各設備情報内の座標情報により示されるｚ座標の値を比較することで、分岐点における開閉器の上下関係を判定し、開閉器の上下関係を特定する第２特定手段を備え、
前記第３表示手段は、
前記第３生成手段により生成された画面情報を前記表示装置に表示させると共に、前記第２特定手段により特定された上下関係を把握可能な形で開閉器を表示させる第４表示手段を備えたことを特徴とする配電系統監視制御装置。
【発明の詳細な説明】
【技術分野】
【０００１】
本発明の実施形態は、配電系統監視制御装置に関する。
【背景技術】
【０００２】
配電系統監視制御装置は配電系統を示す配電系統図をモニタに表示させる装置であり、管理者はこの配電系統図を用いて配電系統を監視する。通常、配電系統図は２次元画像としてモニタ上に表示される。このため、一部の配電線が上下段に配置された配電系統では一方の配電線が他方の配電線の下に隠れてしまうという不都合がある。
【０００３】
これに対し、配電線が上下段に配置された配電系統では、一方の配電線を実際の配置位置とは異なる位置に表示させる配電系統図表示技術がある。
【先行技術文献】
【特許文献】
【０００４】
【特許文献１】特許第４５６４７８３号公報
【発明の概要】
【発明が解決しようとする課題】
【０００５】
しかしながら、以上のような配電系統図表示技術では、実際の配置位置とは異なる位置に表示させるための多大なメンテナンス作業（即ち、配電系統図を表示させるための多大なメンテナンス作業）が必要であり、管理者にかかる負荷が大きいという不都合がある。
【０００６】
本発明が解決しようとする課題は、配電系統図を表示させるための多大なメンテナンス作業を不要とし、管理者にかかる負荷を低減し得る配電系統監視制御装置を提供することである。
【課題を解決するための手段】
【０００７】
実施形態の配電系統監視制御装置は、配電系統内に配置された機器を識別するための機器番号と、配電系統内に配置された機器の位置を（ｘ，ｙ，ｚ）座標を用いて示す座標情報とを関連付けた設備情報を記憶する記憶手段と、前記記憶された設備情報を外部装置に送出する送出手段とを備えた設備情報管理装置および配電系統図を示す画面情報を表示可能な表示装置と通信可能である。
【０００８】
前記配電系統監視制御装置は、第１記憶手段および第１書込手段を備えている。
【０００９】
前記第１記憶手段は、前記設備情報を記憶する。
【００１０】
前記第１書込手段は、前記設備情報管理装置内の前記送出手段から送出された設備情報の入力を受け付けると、当該入力を受け付けた設備情報を前記第１記憶手段に書込む。
【図面の簡単な説明】
【００１１】
【図１】第１の実施形態に係る配電系統監視制御装置を含む配電系統監視システムの構成例を示す模式図である。
【図２】第２の実施形態に係る配電系統監視制御装置の構成例を示す模式図である。
【図３】同実施形態に係る配電系統監視制御装置を用いて表示させる配電系統図の一例を示す模式図である。
【図４】同実施形態に係る配電系統監視制御装置の動作例を示すフローチャートである。
【図５】第３の実施形態に係る配電系統監視制御装置の構成例を示す模式図である。
【図６】同実施形態に係る配電系統監視制御装置の動作例を示すフローチャートである。
【図７】第４の実施形態に係る配電系統監視制御装置の構成例を示す模式図である。
【図８】同実施形態に係る配電系統監視制御装置の動作例を示すフローチャートである。
【発明を実施するための形態】
【００１２】
［第１の実施形態］
図１は第１の実施形態に係る配電系統監視制御装置を含む配電系統監視システムの構成例を示す模式図であり、この配電系統監視システム１は、設備情報管理装置２と配電系統監視制御装置３とを備えている。
【００１３】
設備情報管理装置２は、設備情報管理データベース（以下、設備情報管理ＤＢと表記する）２１および設備情報更新タイミング監視部２２を備えている。
【００１４】
設備情報管理ＤＢ２１は、配電系統内に配置された機器を識別するための機器番号と、配電系統内に配置された機器の位置を（ｘ，ｙ，ｚ）座標を用いて示す座標情報とを関連付けた設備情報を管理するデータベースである。設備情報管理ＤＢ２１内の設備情報は、図示しない入力機器を介してユーザ（即ち、設備情報管理装置２の管理者）により適宜更新される。
【００１５】
設備情報更新タイミング監視部２２は、例えば一定時間毎に、設備情報管理ＤＢ２１に記憶された設備情報を読出し、当該読出した設備情報を配電系統監視制御装置３に送出する機能をもっている。換言すると、設備情報更新タイミング監視部２２は、設備情報管理ＤＢ２１内の設備情報を配電系統監視制御装置３に送出するタイミングを監視し、設備情報を送出するタイミングになると、設備情報管理ＤＢ２１に記憶された設備情報を読出した後に、当該読出した設備情報を配電系統監視制御装置３に送出する機能をもっている。
【００１６】
配電系統監視制御装置３は、設備データベース（以下、設備ＤＢと表記する）３１および設備情報連携部３２を備えている。
【００１７】
設備ＤＢ３１は、設備情報管理装置２から送出された設備情報を記憶するデータベースである。
【００１８】
設備情報連携部３２は、設備情報管理装置２から送出された設備情報の入力を受け付けると、当該入力を受け付けた設備情報を設備ＤＢ３１に書込む機能をもっている。
【００１９】
なお本実施形態では、設備情報管理装置２が主体となって配電系統監視制御装置３に設備情報を送出する形態を示したが、これに限定されず、例えば配電系統監視制御装置３が主体となって設備情報管理装置２に設備情報の更新を要求し、この要求に伴い、設備情報管理装置２が配電系統監視制御装置３に設備情報を送出する形態等が適用可能である。
【００２０】
以上説明した第１の実施形態によれば、設備情報管理装置２から送出された設備情報の入力を受け付け、当該入力を受け付けた設備情報を設備ＤＢ３１に書込む設備情報連携部３２を備えた構成により、設備情報を設備情報管理装置２と連携して管理することができる。
【００２１】
［第２の実施形態］
図２は第２の実施形態に係る配電系統監視制御装置の構成例を示す模式図であり、前述した第１の実施形態の構成とは異なり、配電系統監視制御装置３は、グラフィックデータベース（以下、グラフィックＤＢと表記する）３３、配電系統図傾斜表示設定部３４、表示配電系統図計算部３５および配電系統図表示部３６を更に備えている。なお、配電系統監視制御装置３は画面情報を表示可能なモニタＭと接続する。
【００２２】
以下に、前述した第１の実施形態とは異なる機能について説明する。
【００２３】
グラフィックＤＢ３３は、表示配電系統図計算部３５により生成される画面情報を記憶するデータベースである。
【００２４】
配電系統図傾斜表示設定部３４は、図示しない入力機器を介したユーザ（即ち、配電系統監視制御装置３の管理者）の操作に応じて、モニタＭに表示させる配電系統図の傾斜角度を設定する機能をもっている。具体的には、図３に示すように、視点を真上から水平方向に移動する場合、配電系統図傾斜表示設定部３４は、配電系統図の傾斜角度を９０°又は２７０°（または、右方向に９０°又は左方向に９０°）に設定する。また、配電系統図傾斜表示設定部３４は、設定した傾斜角度を示す設定情報を表示配電系統図計算部３５に送出する機能をもっている。
【００２５】
表示配電系統図計算部３５は、以下に示す各機能(f35-1)〜(f35-5)をもっている。
【００２６】
(f35-1)  設備ＤＢ３１に記憶された設備情報を読出す機能。
【００２７】
具体的には、表示配電系統図計算部３５は、図示しない入力機器を介してユーザにより指定された範囲に含まれる座標情報と、この座標情報に関連付けられた機器番号とを有する複数の設備情報を設備ＤＢ３１から読出す。
【００２８】
(f35-2)  配電系統図傾斜表示設定部３４から送出された設定情報の入力を受け付ける機能。
【００２９】
(f35-3)  (f35-1)の機能を用いて読出した各設備情報と、(f35-2)の機能を用いて入力を受け付けた設定情報とに基づいて、画面情報を生成する機能。
【００３０】
具体的には、表示配電系統図計算部３５は、当該読出した各設備情報内の機器番号および座標情報により特定される範囲を、当該入力を受け付けた設定情報により示される傾斜角度だけ傾斜させた場合の配電系統図を示す画面情報を生成する。
【００３１】
(f35-4)  (f35-3)の機能を用いて生成した画面情報をグラフィックＤＢ３３に書込む機能。
【００３２】
(f35-5)  (f35-3)の機能を用いて生成した画面情報を配電系統図表示部３６に送出する機能。
【００３３】
配電系統図表示部３６は、表示配電系統図計算部３５から送出された画面情報の入力を受け付けると、当該入力を受け付けた画面情報をモニタＭに表示させる機能をもっている。
【００３４】
次に、以上のように構成された配電系統監視制御装置３の動作例について、図４のフローチャートを参照しながら説明する。
【００３５】
始めに、配電系統図傾斜表示部３４は、図示しない入力機器を介したユーザの操作に応じて傾斜角度を設定した後に、当該設定した傾斜角度を示す設定情報を表示配電系統図計算部３５に送出する（ステップＳ１）。
【００３６】
続いて、表示配電系統図計算部３５は、配電系統図傾斜表示部３４から送出された設定情報の入力を受け付けると、ユーザの操作に応じて指定された範囲に含まれる座標情報と、この座標情報に関連付けられた機器番号とを有する複数の設備情報を設備ＤＢ３１から読出す（ステップＳ２）。
【００３７】
次に、表示配電系統図計算部３５は、ステップＳ２において入力を受け付けた設定情報と、ステップＳ２において読出した各設備情報とに基づいて、各設備情報内の機器番号および座標情報により特定される範囲を、設定情報により示される傾斜角度だけ傾斜させた場合の配電系統図を示す画面情報を生成する。その後、表示配電系統図計算部３５は、当該生成した画面情報を配電系統図表示部３６に送出する（ステップＳ３）。
【００３８】
しかる後、配電系統図表示部３６は、表示配電系統図計算部３５から送出された画面情報の入力を受け付けると、当該入力を受け付けた画面情報をモニタＭに表示させる（ステップＳ４）。
【００３９】
以上説明した第２の実施形態によれば、ユーザの操作に応じて、モニタＭに表示させる配電系統図の傾斜角度を設定する配電系統図傾斜表示部３４と、配電系統図傾斜表示部３４により設定された傾斜角度だけ傾斜させたときの配電系統図を示す画面情報を生成する表示配電系統図計算部３５と、表示配電系統図計算部３５により生成された画面情報をモニタＭに表示させる配電系統図表示部３６とを備えた構成により、配電系統図を任意の角度だけ傾斜させた状態でモニタＭに表示させることができる（即ち、配電系統図を３次元画像としてモニタＭに表示させることができる）。
【００４０】
［第３の実施形態］
図５は第３の実施形態に係る配電系統監視制御装置の構成例を示す模式図であり、前述した第１および第２の実施形態の構成とは異なり、配電系統監視制御装置３は、多回線表示優先度設定部３７、多回線判定部３５１および多回線表示優先度認識部３５２を更に備えている。なお、多回線判定部３５１および多回線表示優先度認識部３５２は、表示配電系統図計算部３５に含まれる。
【００４１】
以下に、前述した第１および第２の実施形態とは異なる機能について説明する。
【００４２】
設備ＤＢ３１は、機器番号および座標情報を含む設備情報の他に、優先度設定情報を更に記憶する。
【００４３】
多回線表示優先度設定部３７は、図示しない入力機器を介したユーザの操作に応じて、多回線（即ち、複数の配電線が重複して構成された回線）をモニタＭに表示させる場合に、重複した複数の配電線のうちのどの配電線を優先的にモニタＭに表示させるかを規定した優先度を設定する機能をもっている。また、多回線表示優先度設定部３７は、設定した優先度を示す優先度設定情報を設備情報に関連付けた上で、設備ＤＢ３１に書込む機能をもっている。
【００４４】
多回線判定部３５１は、以下に示す各機能(f351-1)〜(f351-5)をもっている。
【００４５】
(f351-1)  表示配電系統図計算部３５の(f35-1)の機能により設備ＤＢ３１に記憶された複数の設備情報が読出されると、当該読出された各設備情報の中に、座標情報により示される（ｘ，ｙ，ｚ）座標のうちの（ｘ，ｙ）座標が同一の値を示す複数の設備情報が存在するか否かを判定する（即ち、多回線が存在するか否かを判定する）機能。
【００４６】
(f351-2)  (f351-1)の機能による判定の結果が存在する旨を示すとき、（ｘ，ｙ）座標が同一の値を示す各設備情報に関連付けられた優先度設定情報を設備ＤＢ３１からそれぞれ読出す機能。
【００４７】
(f351-3)  (f351-2)の機能により優先度設定情報が読出されると、(f35-1)の機能により読出された各設備情報と、(f351-2)の機能を用いて読出した各優先度設定情報とを多回線優先度認識部３５２に送出する機能。但し、各設備情報のうち、各優先度設定情報に関連付けられた複数の設備情報は、各優先度設定情報と共に、多回線優先度認識部３５２に送出される。
【００４８】
(f351-4)  (f351-1)の機能による判定の結果が否を示すとき、(f35-1)の機能により読出された各設備情報に基づいて、画面情報を生成する機能。
【００４９】
(f351-5)  (f351-4)の機能を用いて生成した画面情報を配電系統図表示部３６に送出する機能。
【００５０】
多回線優先度認識部３５２は、以下に示す各機能(f352-1)〜(f352-3)をもっている。
【００５１】
(f352-1)  多回線判定部３５１から送出された設備情報および優先度設定情報の入力を受け付けると、当該入力を受け付けた優先度設定情報のうち、最も高い優先度を示す優先度設定情報に関連付けられた設備情報を多回線設備情報として認識（選択）する機能。
【００５２】
(f352-2)  多回線判定部３５１から送出された設備情報のうち、当該入力を受け付けた優先度設定情報に関連付けられた設備情報を除く設備情報と、(f352-1)の機能により選択した多回線設備情報とに基づいて、画面情報を生成する機能。
【００５３】
(f352-3)  (f352-2)の機能を用いて生成した画面情報を配電系統図表示部３６に送出する機能。
【００５４】
次に、以上のように構成された配電系統監視制御装置３の動作例について、図６のフローチャートを参照しながら説明する。
【００５５】
始めに、多回線判定部３５１は、ユーザの操作に応じて指定された範囲に含まれる座標情報と、この座標情報に関連付けられた機器番号とを有する複数の設備情報が設備ＤＢ３１から読出されると、当該読出された設備情報の中に、座標情報により示される（ｘ，ｙ，ｚ）座標のうちの（ｘ，ｙ）座標が同一の値を示す複数の設備情報が存在するか否かを判定する（ステップＳ１１）。
【００５６】
ステップＳ１１の判定の結果が否を示す場合（ステップＳ１１：「Ｎｏ」）には、多回線判定部３５１は、設備ＤＢ３１から読出された各設備情報に基づいて画面情報を生成した後に、当該生成した画面情報を配電系統図表示部３６に送出する（ステップＳ１２）。
【００５７】
続いて、配電系統図表示部３６は、ステップＳ１２において多回線判定部３５１から送出された画面情報の入力を受け付けると、当該入力を受け付けた画面情報をモニタＭに表示させ（ステップＳ１３）、配電系統監視制御装置３での動作を終了させる。
【００５８】
ステップＳ１１の判定結果が存在する旨を示す場合（ステップＳ１１：「Ｙｅｓ」）には、多回線判定部３５１は、（ｘ，ｙ）座標が同一の値を示す各設備情報に関連付けられた優先度設定情報を設備ＤＢ３１からそれぞれ読出す（ステップＳ１４）。
【００５９】
次に、多回線判定部３５１は、設備ＤＢ３１から読出された各設備情報と、ステップＳ１４において読出した各優先度設定情報とを多回線優先度認識部３５２に送出する（ステップＳ１５）。
【００６０】
続いて、多回線優先度認識部３５２は、多回線判定部３５１から送出された設備情報および優先度設定情報の入力を受け付けると、当該入力を受け付けた各優先度設定情報のうち、最も高い優先度を示す優先度設定情報に関連付けられた設備情報を多回線設備情報として選択する（ステップＳ１６）。
【００６１】
次に、多回線優先度認識部３５２は、多回線判定部３５１から送出された各設備情報のうち、当該入力を受け付けた各優先度設定情報に関連付けられた設備情報を除く複数の設備情報と、ステップＳ１６において選択した多回線設備情報とに基づいて画面情報を生成する。その後、多回線優先度認識部３５２は、当該生成した画面情報を配電系統図表示部３６に送出する（ステップＳ１７）。
【００６２】
しかる後、配電系統図表示部は、多回線優先度認識部３５２から送出された画面情報の入力を受け付けると、当該入力を受け付けた画面情報をモニタＭに表示させ（ステップＳ１８）、配電系統監視制御装置３での動作を終了させる。
【００６３】
以上説明した第３の実施形態によれば、ユーザの操作に応じて、重複した複数の配電線（多回線）のうちのどの配電線を優先的にモニタＭに表示させるかを規定した優先度を設定する多回線表示優先度設定部３７と、設備情報内の座標情報により示される（ｘ，ｙ，ｚ）座標を用いて多回線が存在するか否かを判定する多回線判定部３５１と、多回線表示優先度設定部３７により設定された優先度に基づいた画面情報を生成する多回線優先度認識部３５２とを備えた構成により、多回線のうちの最上層の配電線を常に表示させるのではなく、優先度が最も高い配電線をモニタＭに表示させることができる。
【００６４】
［第４の実施形態］
図７は第４の実施形態に係る配電系統監視制御装置の構成例を示す模式図である。本実施形態は前述した第３の実施形態の変形例であり、多回線優先度設定部３７、多回線判定部３５１および多回線優先度認識部３５２の代わりに、配電線交差点判定部３５３および配電線上下関係判定部３５４を備えている。なお、配電線交差点判定部および配電線上下関係判定部３５４は、表示配電系統図計算部３５に含まれる。
【００６５】
以下に、前述した第１および第２の実施形態とは異なる機能について説明する。
【００６６】
配電線交差点判定部３５３は、表示配電系統図計算部３５の(f35-1)の機能により設備ＤＢ３１に記憶された複数の設備情報が読出されると、当該読出された各設備情報の中に、座標情報により示される（ｘ，ｙ，ｚ）座標のうちの（ｘ，ｙ）座標が同一の値を示す複数の設備情報が存在するか否かを判定する（即ち、配電線の交差点が存在するか否かを判定する）機能をもっている。
【００６７】
配電線上下関係判定部３５４は、以下に示す各機能(f354-1)〜(f354-4)をもっている。
【００６８】
(f354-1)  配電線交差点判定部３５３による判定の結果が存在する旨を示すとき、（ｘ，ｙ）座標が同一の値を示す各設備情報内の座標情報により示されるｚ座標の値を比較することで、交差点における配電線の上下関係を判定する機能。
【００６９】
具体的には、２つの配電線の上下関係を判定する場合、配電線上下関係判定部３５４は、ｚ座標の値がより小さい値を示す座標情報を有する設備情報により示される一方の配電線が他方の配電線より下方に位置すると判定（特定）する。
【００７０】
(f354-2)  (f354-1)の機能による判定の結果を示し、かつ下方に位置すると判定（特定）された配電線の設備情報を含む結果情報を配電系統図表示部３６に送出する機能。
【００７１】
(f354-3)  (f35-1)の機能により読出された各設備情報に基づいて、画面情報を生成する機能。
【００７２】
(f354-4)  (f354-3)の機能を用いて生成した画面情報を配電系統図表示部３６に送出する機能。
【００７３】
配電系統図表示部３６は、配電線上下関係判定部３５４から送出された画面情報および結果情報の入力を受け付けると、当該入力を受け付けた画面情報をモニタＭに表示させると共に、当該結果情報に含まれる設備情報により示される配電線を影表示させる機能をもっている。
【００７４】
次に、以上のように構成された配電系統監視制御装置３の動作例について、図８のフローチャートを参照しながら説明する。
【００７５】
始めに、配電線交差点判定部３５３は、ユーザの操作に応じて指定された範囲に含まれる座標情報と、この座標情報に関連付けられた機器番号とを有する複数の設備情報が設備ＤＢ３１から読出されると、当該読出された設備情報の中に、座標情報により示される（ｘ，ｙ，ｚ）座標のうちの（ｘ，ｙ）座標が同一の値を示す複数の設備情報が存在するか否かを判定する（ステップＳ２１）。
【００７６】
ステップＳ２１の判定の結果が否を示す場合（ステップＳ２１：「Ｎｏ」）には、配電線交差点判定部３５３は、設備ＤＢ３１から読出された各設備情報に基づいて画面情報を生成した後に、当該生成した画面情報を配電系統図表示部３６に送出する（ステップＳ２２）。
【００７７】
続いて、配電系統図表示部３６は、ステップＳ２２において配電線交差点判定部３５３から送出された画面情報の入力を受け付けると、当該入力を受け付けた画面情報をモニタＭに表示させ（ステップＳ２３）、配電系統監視制御装置３での動作を終了させる。
【００７８】
ステップＳ２１の判定の結果が存在する旨を示す場合（ステップＳ２１：「Ｙｅｓ」）には、配電線上下関係判定部３５４は、（ｘ，ｙ）座標が同一の値を示す各設備情報内の座標情報により示されるｚ座標の値を比較することで、交差点において下方に位置する配電線を特定する（ステップＳ２４）。
【００７９】
次に、配電線上下関係判定部３５４は、ステップＳ２４において下方に位置すると特定された配電線の設備情報を含む結果情報を配電系統図表示部３６に送出する（ステップＳ２５）。
【００８０】
続いて、配電線上下関係判定部３５４は、設備ＤＢ３１から読出された各設備情報に基づいて画面情報を生成した後に、当該生成した画面情報を配電系統図表示部３６に送出する（ステップＳ２６）。
【００８１】
しかる後、配電系統図表示部３６は、配電線上下関係判定部３５４から送出された結果情報および画面情報の入力を受け付けると、当該入力を受け付けた画面情報をモニタＭに表示させると共に、当該結果情報に含まれる設備情報により示される配電線を影表示させ（ステップＳ２７）、配電系統監視制御装置３での動作を終了させる。
【００８２】
なお本実施形態では、交差点において下方に位置する配電線を影表示させる形態としたが、これに限定されず、例えば、交差点において上方に位置する配電線を山なりに表示させる形態等が適用可能である。
【００８３】
また本実施形態では、配電線の上下関係を判定して、当該配電線の上下関係を画面情報に反映させた上でモニタＭに表示させるとしたが、上下関係を判定する対象は配電線に限らず、例えば分岐点における開閉器を、上下関係を判定する対象としてもよい。この場合においても、下方に位置する開閉器を影表示させることで上下関係を把握可能にしてもよい。また、開閉器の上下関係を把握可能なポップアップ画面を表示させることで上下関係を把握可能にしてもよい。
【００８４】
以上説明した第４の実施形態によれば、設備情報内の座標情報により示される（ｘ，ｙ，ｚ）座標を用いて交差点が存在するか否かを判定する配電線交差点判定部３５３と、交差点における配電線の上下関係を判定する配電線上下関係判定部３５４とを備えた構成により、配電線が交差する交差点において、配電線の上下関係を視認可能な配電系統図をモニタＭに表示させることができる。
【００８５】
以上説明した少なくとも一つの実施形態によれば、設備情報管理装置２から送出された設備情報の入力を受け付け、当該入力を受け付けた設備情報を設備ＤＢ３１に書込む設備情報連携部３２を備えた構成により、設備情報を設備情報管理装置２と連携して管理することができるため、配電系統図を表示させるための多大なメンテナンス作業を不要とし、管理者にかかる負荷を低減することができる。
【００８６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１…配電系統監視システム、２…設備情報管理装置、３…配電系統監視制御装置、２１…設備情報管理データベース、２２…設備情報更新タイミング監視部、３１…設備データベース、３２…設備情報連携部、３３…グラフィックデータベース、３４…配電系統図傾斜表示部、３５…表示配電系統図計算部、３６…配電系統図表示部、３７…多回線表示優先度設定部、３５１…多回線判定部、３５２…多回線優先度認識部、３５３…配電線交差点判定部、３５４…配電線上下関係判定部。
【図１】
2014060830.tif 000003
【図２】
2014060830.tif 000004
【図３】
2014060830.tif 000005
【図４】
2014060830.tif 000006
【図５】
2014060830.tif 000007
【図６】
2014060830.tif 000008
【図７】
2014060830.tif 000009
【図８】
2014060830.tif 000010